【事件の表示】
　平成　８年特許願第２５２２８８号「情報読取装置及び情報読取方法」拒絶査定不服審判事件〔平成１０年　３月２４日出願公開、特開平１０−　７９１６４〕について、次のとおり審決する。
【結　論】
　本件審判の請求は、成り立たない。
【理　由】
１．手続の経緯と本願発明
　本件審判請求に係る特許出願（以下、「本願」という。）は、平成８年９月３日の出願であって、その請求項１乃至４に係る発明は、平成１６年６月２５日付け手続補正により補正された明細書の特許請求の範囲の請求項１乃至４に記載された事項により特定されるとおりのものと認められるところ、請求項１に係る発明（以下、「本願発明」という。）は、次のとおりのものである。
「【請求項１】
　線速度一定で情報が記録された光ディスクを通常速度のＮ倍の回転速度で回転駆動し、読み取った情報を一時記憶する記憶回路を介して外部装置に所定の転送レートにより出力する情報読取装置であって、
　前記情報を読み取る読取手段と、
　前記Ｎ倍の回転数まで加速させるように前記光ディスクの回転を制御する回転制御手段と、
　前記光ディスクを前記回転制御手段により回転させることにより発生する前記光ディスクと前記読取手段との相対的な変位量を検出する変位量検出手段と、
　前記変位量に基づき、前記光ディスクの回転中における振動量を算出する算出手段と、
　前記読取手段が前記光ディスクから情報を読み取ることが可能な範囲における最大の許容振動量を保持する最大許容振動量保持手段と、
　算出された前記振動量が前記最大許容振動量に達したか否かを判別する判別手段と、
　前記判別手段によって前記振動量が前記最大許容振動量に達したと判別されたときの前記光ディスクの回転数を検出する回転数検出手段と、を具備し、
　前記回転制御手段は、前記回転数検出手段により検出された前記回転数を超えないように前記光ディスクの回転数を制御することを特徴とする情報読取装置。」
　
２．引用例
（１）引用例１
　これに対して、原査定の拒絶の理由に引用された、本願の出願前に頒布された刊行物である特開平６−４４５９５号公報（以下、「引用例１」という。）には、光学的情報記録再生装置に関して、図面とともに、以下の技術事項が記載されている（なお、下線は当審で付与したものである。）。
  　
(i)
「【特許請求の範囲】
【請求項１】  回転する情報記録媒体に光ビームを照射すると共に、その反射光または透過光からトラッキングあるいはフォーカシング制御のためのサーボエラー信号を検出し、得られたサーボエラー信号を用いてサーボ制御を行いながら情報記録媒体に情報を記録、あるいは情報を再生する光学的情報記録再生装置において、前記トラッキングまたはフォーカシングのサーボエラー信号の大きさに応じて、前記情報記録媒体の回転速度を変化させることを特徴とする光学的情報記録再生装置。」
  　
(ii)
「【０００２】
【従来の技術】
従来、ディスク状情報記録媒体を用いた光学的情報記録再生装置には、記録媒体を角速度一定で回転させるＣＡＶ方式と、線速度一定で回転させるＣＬＶ方式が知られている。
【０００３】
【発明が解決しようとしている課題】しかしながら、従来の光学的情報記録再生装置では、外乱の小さな記録媒体であってもサーボ能力は変わらないため、外乱の小さな記録媒体が装着された装置は必要以上のサーボ能力を持っていることになる。そのため、こういう場合はサーボ能力を十分使用していないことになり、無駄なサーボ能力を持つという問題があった。
【０００４】本発明は、このような事情に鑑みなされたもので、その目的はトラッキングまたはフォーカシング制御のサーボエラー信号の大きさに応じて記録媒体の回転数を変化させることにより、サーボ能力を無駄なく使用するようにした光学的情報記録再生装置を提供することにある。」
　
(iii)
「【０００６】
【実施例】以下、本発明の実施例について、図面を参照して詳細に説明する。図１は本発明の光学的情報記録再生装置の一実施例を示したブロック図である。図１において、１は光ディスクなどの情報を記録、再生する光学的情報記録媒体、２はこの記録媒体１を所定速度で回転させるためのスピンドルモータ、３は記録媒体１に情報の記録、再生用の光ビームを照射する光学ヘッドである。光学ヘッド３は光源である半導体レーザ、この光源の光ビームを微小光スポットに絞るための対物レンズ、この対物レンズをトラッキング方向とフォーカシング方向にそれぞれ駆動するトラッキングアクチュエータとフォーカシングアクチュエータ、記録媒体１から反射した光を検出するための光センサなどから構成されている。４は光学ヘッド３に設けられた光センサの検出信号をもとにトラッキング制御のためのトラッキングエラー信号を検出するトラッキング検出回路、５は同様にフォーカシング制御のためのフォーカスエラー信号を検出するフォーカシング検出回路である。これらのトラッキング検出回路４、フォーカシング検出回路５はそれぞれサーボエラー信号を正規化するためのＡＧＣ機能を備えている。６及び７は各検出回路４，５で得られたトラッキングエラー信号、フォーカシングエラー信号をそれぞれ位相補償するための位相補償回路、６及び７は各位相補償回路４，５の出力により光学ヘッド３内のトラッキングアクチュエータ、フォーカシングアクチュエータをそれぞれ光学ヘッド３内のトラッキングアクチュエータ、フォーカシングアクチュエータをそれぞれ駆動するためのドライバである。また、１０はトラッキング検出回路４、フォーカシング検出回路５のトラッキングエラー信号、フォーカシングエラー信号を取り込むためのＡ／Ｄコンバータ、１１はこの取り込まれたエラー信号の大きさに応じて記録媒体１の回転速度を決定するためのＣＰＵである。
【０００７】次に、本実施例の動作を説明する。
まず、
ＣＰＵ１１は予め決められた最小の回転数で記録媒体１を回転させるようにスピンドルモータ２に指示する。これにより、記録媒体１は所定の最小の回転数で回転し始め、この状態で光学ヘッド３から記録媒体１上に光ビームが照射される。この光ビームは記録媒体１の表面で反射され、その反射光は光学ヘッド３内の光センサで検出される。また、この光センサの検出信号はトラッキング検出回路４、フォーカシング検出回路５へ送られ、各検出回路でそれぞれ正規化されたトラッキングエラー信号、フォーカシングエラー信号が生成される。
光ビームは媒体面に合焦しつつ情報トラック上を走査する。
【０００８】一方、
トラッキング検出回路４、フォーカシング検出回路５のトラッキングエラー信号とフォーカシングエラー信号は、それぞれＡ／Ｄコンバータ１０に取り込まれ、得られた値はＣＰＵ１１に出力される。ＣＰＵ１１では、トラッキングエラー信号とフォーカシングエラー信号のいずれかの取り込み値と予めメモリ内に記憶された所定の値を比較し、取り込んだ値が所定値より小さいとスピンドルモータ２に所定回転数分だけ回転数を上げるように指示する。また、同時にＣＰＵ１１は図示しない信号処理系にスピンドルモータ２の回転数を上げたことを通知する。
この状態でＣＰＵ１１は前記と同様の動作で、新たに得られたサーボエラー信号の取り込み値と所定値を比較し、その比較に基づいてスピンドルモータ２の回転数を決定する。このようにＣＰＵ１１は、Ａ／Ｄコンバータ１０の取り込み値と所定値の比較動作を繰り返し行ってスピンドルモータ２の回転数も段階的に増していき、両方の値が等しくなったところで、そのときの回転数を装着された記録媒体１に対応した回転数と決定する。即ち、トラッキングエラー信号とフォーカシングエラー信号のいずれかの大きさを検出することによって、記録媒体の外乱の大きさを検出し、この大きさに応じて記録媒体１の回転数を変化させることで、トラッキング制御とフォーカシング制御のサーボ能力を最大限に引き出すものである。こうして記録媒体毎に最適回転数を決定し、以後は決められた回転数で記録、再生動作を行う。
【０００９】
このように本実施例にあっては、トラッキングエラー信号またはフォーカシングエラー信号の大きさを検出することによって、記録媒体の外乱の大きさを検出し、その外乱の大きさに応じて記録媒体の回転数を変化させることにより、記録媒体の出来具合によって異なる外乱の大きさに応じて、記録媒体の回転数をサーボ能力を最大限に引き出せる最適回転数に設定することができる。
  　
　上記摘記事項及び図面の記載を参酌すると、引用例１には、次の発明（以下、「引用例１発明」という。）が記載されているものと認める。
　
「ＣＬＶ方式あるいはＣＡＶ方式で回転する情報記録媒体に光ビームを照射すると共に、その反射光または透過光からトラッキングあるいはフォーカシング制御のためのサーボエラー信号を検出し、得られたサーボエラー信号を用いてサーボ制御を行いながら情報記録媒体に情報を記録、あるいは情報を再生する光学的情報記録再生装置において、
　ＣＰＵ１１は、予め決められた最小の回転数で記録媒体１を回転させるようにスピンドルモータ２に指示し、
　これにより、記録媒体１は所定の最小の回転数で回転し始め、
　光学ヘッド３から記録媒体１上に光ビームが照射され、
　この光ビームは記録媒体１の表面で反射され、その反射光は光学ヘッド３内の光センサで検出され、
　光センサの検出信号より得られたトラッキングエラー信号とフォーカシングエラー信号のいずれかの取り込み値と予めメモリ内に記憶された所定の値を比較し、取り込んだ値が所定値より小さいとスピンドルモータ２に所定回転数分だけ回転数を上げるように指示し、
　同時にＣＰＵ１１は信号処理系にスピンドルモータ２の回転数を上げたことを通知し、
　この状態でＣＰＵ１１は前記と同様の動作で、新たに得られたサーボエラー信号の取り込み値と所定値を比較し、その比較に基づいてスピンドルモータ２の回転数を決定し、
　さらにＣＰＵ１１は、前記取り込み値と所定値の比較動作を繰り返し行ってスピンドルモータ２の回転数も段階的に増していき、両方の値が等しくなったところで、そのときの回転数を、記録媒体の出来具合によって異なる外乱の大きさに応じた、サーボ能力を最大限に引き出せる最適回転数に設定し、
　以後は決められた回転数で記録、再生動作を行う
　光学的情報記録再生装置。」
　
（２）引用例２
　また、原査定の拒絶の理由に引用された、本願の出願前に頒布された刊行物である特開昭６２−２８１１２７号公報（以下、「引用例２」という。）には、光学式ディスク再生装置に関して、図面とともに、以下の技術事項が記載されている。
  　
(iv)
「しかし、上記従来技術は、ディスク再生装置において、本来ディスクを再生する再生速度（標準再生）に対し、２倍速再生，３倍速再生といった高速再生を行う場合に、ディスクの偏芯や面振れの加速度が４倍，９倍となった場合のサーボ系の対応については、配慮されていなかった。」（第１頁右下欄第１４行乃至第１９行）
　
(v)
「２倍速再生を行う場合、例えばフォーカスサーボ系について考えてみると、面振れの振幅値をδ、ディスクの回転数をωとした場合、面振れｘ（ｔ）はｘ（ｔ）＝δｓｉｎωｔとなる。このｘ（ｔ）の２階微分はｘ・・（ｔ）＝−δω２ ｓｉｎωｔとなり、この時の最大加速度Ｇを、Ｇ＝δω２  と定義する。今、標準再生に対して２倍の速度で再生する場合ディスク回転数は２ωとなり、面振れの加速度は４倍となる。・・・（省略）・・・他のサーボ系も同様である。」（第３頁左下欄第４行乃至第１５行）
　
（３）引用例３
　さらに、原査定の拒絶の理由に引用された、本願の出願前に頒布された刊行物である特開平８−５５４２２号公報（以下、「引用例３」という。）には、記録再生装置に関して、図面とともに、以下の技術事項が記載されている。（なお、下線は当審で付与したものである。）
　
(vi)
「【０００６】このように従来の記録再生装置では、記録再生を行いながら随時面振れ補正、偏心補正を行うだけで、面振れや偏心に関する情報をディスクの記録再生に先だっては検出しておらず、ディスクの回転数においては、予め決められた一定の回転数で動作を行うというものであった。
【０００７】
【発明が解決しようとする課題】
ところが、先に示した従来の記録再生装置では、偏心量の大きなものや、面振れ量の大きなものでは記録と再生の両方もしくは一方が行えなくなるという課題を有していた。
【０００８】
本発明の記録再生装置は、上記従来の課題を解決するものであり、偏心量や面振れ量の大きなディスクでも記録と再生の両方もしくは一方を安定に行えるようにすることを目的とする。
　
(vii)
「【００２９】図１は、本発明の第１の実施例の、記録再生装置１の構成を示すブロック図である。但し、図１において図１８と共通するものは同じ番号を付し、説明を省略する。図１において１３２は偏心検出手段で、これによって回転数制御手段１３１を制御し、ディスクモータ１０３の回転数を切り換える。ディスクモータ１０３を規定の回転数で速度制御するための構成として、回転数に比例した回転信号と基準周波数を位相比較等の処理をした後ディスクモータ１０３に印加する速度制御の構成が必要であるが、本実施例では直接関係ないため図示せず、規定の回転数で回転する基準を切り換える等の手段で回転数の規定値を切り換える手段としての回転数制御手段１３１を図示している。１２７、１２８はスイッチであり、各々フォーカスサーボ、トラッキングサーボのＯＮ、ＯＦＦを切り換えるものである。
【００３０】次に、図１の構成において回転数を切り換える場合の手順を図２のフローチャートによって説明する。まず始めにディスクを記録もしくは再生する際、ディスクを記録再生装置１にローディングし、オペレータの操作により記録もしくは再生が指示される（Ｓ１０１）。これによりディスクモータ１０３が回転を行い（Ｓ１０２）、半導体レーザー１０４が発光し（Ｓ１０３）、フォーカスがスイッチ１２７によりＯＮされ（Ｓ１０４）、トラッキングがスイッチ１２８によりＯＮされる（Ｓ１０５）。次に、
所定のトラックを検索し（Ｓ１０６）、ディスクの最内周から最外周（あるいは最外周から最内周）に渡って全トラックを走査し、偏心に関する情報が偏心検出手段１３２により検出される（Ｓ１０７）。その結果を平均化して回転数制御手段１３１は、記録時には記録の、再生時には再生のでき得る最大の回転数を選択する（Ｓ１０８）。ディスクモータ１０３が選択された回転数で回転（Ｓ１０９）した後、記録または再生を行う（Ｓ１１０）。
【００３１】なお、ディスク全面に渡って検出してもよいが、
偏心に関する情報を検出するトラックを規定しておきその所定のトラックの平均をとるように構成すれば検出時間の短縮化がはかれる。
【００３２】ここでは平均化した例を上げたが、情報の記録時のように
一点でもトラック外れ等の異常動作を起こさないことが必要な場合には、最大値を検出し回転数を選択することが望ましい。その際に回転数の選択基準は、偏心検出手段の信号より必要とされるトラッキング駆動素子の加速度を計算し、設計値で定められた加速度性能の中に前記偏心検出手段の出力が納まる回転数を選択する。
　
（３）引用例４
　原査定の拒絶の理由で提示した本願出願前に頒布された刊行物である特開平５−３４７０６８号公報（以下、「引用例４」という。）には、光学的情報記録再生装置に関し、図面とともに、以下の技術事項が記載されている。
（なお、下線は当審で付与したものである。）
　
(viii)
「【０００１】
【産業上の利用分野】
この発明は、情報記録媒体である光ディスクや光磁気ディスクにレーザ光を照射してデータの記録・再生を行う光学的情報記録再生装置に係り、特に、そのディスクの性能に応じて決定される回転数より速い回転数で駆動されることによって、トラックはずれやフォーカスはずれ、データエラー等が発生したとき、ディスクの回転数を段階的に低下させることにより、そのディスクの性能の範囲内で可能な限り速い回転数によるデータの記録・再生が行えるようにした光学的情報記録再生装置に関する。
  　
(ix)
「【００１６】
【作用】この発明では、光ディスクメディアの性能に応じて決定される回転数より速い回転数で駆動されることによって、トラックはずれやフォーカスはずれ、データエラー等が発生したときは、ディスクの回転数を予め設定された回転数で段階的に低下させることによって、各ディスクメディアの性能に応じた速い速度での記録・再生が行えるようにしている（請求項１から請求項３の発明）。具体的にいえば、初期設定の回転数は、例えば現在の光ディスクメディアの性能の最大回転数である３，６００ｒｐｍに設定しておく。
【００１７】したがって、光ディスクをセット（ロード）すると、光ディスクは、この初期設定された高い回転数３，６００ｒｐｍで回転される。そして、その回転数でデータのリード／ライトを行う。もし、トラックはずれ等が発生したことを検知したときは、回転数を例えば６００ｒｐｍずつ連続的に低下させて、その都度、トラックはずれ等が発生するかどうかチエックし、トラックはずれ等が発生しない回転数で、データのリード／ライトを行う。
【００１８】ここで、ＩＳＯ規格による機械的特性値について、その一例を説明する。
図２は、ＩＳＯ規格によるディスクの機械的特性値の一例を示す図である。
【００１９】
また、ＩＳＯ規格では、テスト条件として、１，８００ｒｐｍにおける機械的特性値も規定している。ところで、偏心加速度（図２の２行目）や面振れ加速度（図２の４行目）は、線速が２倍になると、４倍の加速度になる。そのため、アクチュエータの性能も、これに対応可能な性能が要求される。
【００２０】図３は、回転数が速くなったことに対応してアクチュエータに要求される偏心加速度と面振れ加速度の値の一例を示す図である。この図３では、テスト条件の１，８００ｒｐｍから、６００ｒｐｍずつ上昇した場合について示している。」
　
(ｘ)
　第２図、第３図には、ディスクの機械的特性値としての偏心加速度、面振れ加速度と、それに応じてアクチュエータに要求される偏心加速度、面振れ加速度について記載されている。
  　
３．対比
　本願発明と、引用例１発明とを対比する。
  　
　引用例１発明は、「ＣＬＶ方式あるいはＣＡＶ方式で回転する情報記録媒体に光ビームを照射」し、「情報を再生する光学的情報記録再生装置」に係るものであり、情報を読み取る機能を有すること、また読み取った情報は外部装置に所定の転送レートで転送することは自明であるから、「ＣＬＶ方式」で回転するものに限り、本願発明の「線速度一定で情報が記録された光ディスク」を「回転駆動し、読み取った情報を外部装置に所定の転送レートにより出力する情報読取装置」に相当する。
　引用例１発明は、特に情報の読み取り手段について明確に示していないが、「光学ヘッド」によって、記録媒体により反射された反射光を検出し、再生動作を行う光学的情報記録再生装置であることから、「光学ヘッド」が本願発明における「情報読取手段」に相当するものと認められる。
　引用例１発明において、「スピンドルモータ２の回転数」を「段階的に増」す制御は「ＣＰＵ１１」によってなされており、当該「ＣＰＵ１１」は、本願発明の「加速させるように前記光ディスクの回転を制御する回転制御手段」に相当する。
　引用例１発明において、「記録媒体１を回転させ」、「光学ヘッド３から記録媒体１上に光ビームが照射され」ることで「光センサの検出信号より得られたトラッキングエラー信号とフォーカシングエラー信号のいずれかの取り込み値」は、本願発明の「光ディスクを前記回転制御手段により回転させることにより発生する前記光ディスクと前記読み取り手段との相対的な変位量を検出する」に相当し、引用例１発明における、前記「トラッキングエラー信号とフォーカシングエラー信号」を検出する「光センサ」は、本願発明の「変位量検出手段」に相当する。
　引用例１発明は、「前記取り込み値と所定値の比較動作を繰り返し行ってスピンドルモータ２の回転数も段階的に増していき、両方の値が等しくなったところで、そのときの回転数を、記録媒体の出来具合によって異なる外乱の大きさに応じた、サーボ能力を最大限に引き出せる最適回転数に設定」するものである。
　ここで、上記「所定値」は、「サーボ能力を最大限に引き出せる最適回転数」を設定するために用いられる振動量を表す量であり、「最適回転数」より大きな回転数であれば、読み取り動作は正常でなくなることから、本願発明の「読み取り手段が前記光ディスクから情報を読み取ることが可能な範囲における最大の許容振動量」に相当し、予め「所定値」を格納し、「取り込み値」との比較動作を行う「ＣＰＵ１１」は、本願発明の「最大許容振動量保持手段」に相当する。
　そして、上記比較動作を行う「ＣＰＵ１１」は、本願発明の「前記最大許容振動量に達したか否かを判断する判断手段」に相当する。
　引用例１発明は、「スピンドルモータ２の回転数」を「段階的に増していき」「両方の値が等しくなったところで、そのときの回転数を」「最適回転数に設定」とするもので、特に「回転数検出手段」については記載されていないが、特定の回転数になるように制御する機構を有している以上、現在の回転数を検出する手段を有していることは、自明であるか、記載されているに等しい事項であるから、本願発明と同様の「判別手段によって前記振動量が前記最大許容振動量に達したと判別された時の前記光ディスクの回転数を検出する回転数検出手段」を有しているといえる。
　引用例１発明において、「そのときの回転数を、記録媒体の出来具合によって異なる外乱の大きさに応じた、サーボ能力を最大限に引き出せる最適回転数に設定し、以後は決められた回転数で記録、再生動作を行う」は、本願発明の「回転数検出手段により検出された前記回転数を超えないように前記光ディスクの回転数を制御する」に相当し、引用例１発明において、上記の動作を行う「ＣＰＵ１１」は、本願発明の「回転数制御手段」に相当する。
　引用例１発明の「光学的情報記録再生装置」は、情報記録媒体から情報を読み取る機能を有するから、本願発明の「情報読取装置」に相当する。
　
　そうすると、本願発明と引用例１発明とは、次の点で一致する。
  　
［一致点］
　「線速度一定で情報が記録された光ディスクを回転駆動し、読み取った情報を外部装置に所定の転送レートにより出力する情報読取装置であって、
　前記情報を読み取る読取手段と、
　（所定の）回転数まで加速させるように前記光ディスクの回転を制御する回転制御手段と、
　前記光ディスクを前記回転制御手段により回転させることにより発生する前記光ディスクと前記読取手段との相対的な変位量を検出する変位量検出手段と、
　前記変位量に基づき、前記光ディスクの回転中における振動量を（ 決定し）、
　前記読取手段が前記光ディスクから情報を読み取ることが可能な範囲における最大の許容振動量を保持する最大許容振動量保持手段と、
　前記振動量が前記最大許容振動量に達したか否かを判別する判別手段と、
　前記判別手段によって前記振動量が前記最大許容振動量に達したと判別されたときの前記光ディスクの回転数を検出する回転数検出手段と、を具備し、
　前記回転制御手段は、前記回転数検出手段により検出された前記回転数を超えないように前記光ディスクの回転数を制御することを特徴とする情報読取装置。」
  　
　そして、次の各点で相違する。
［相違点］
相違点（イ）
　本願発明は、光ディスクを通常速度のＮ倍の回転速度で回転駆動するもので、前記Ｎ倍の回転数まで加速させるように光ディスクの回転を制御するのに対し、引用例１発明は、最小の回転数で記録媒体を回転させ、その後、回転数を上げる制御を行う際に、「Ｎ倍」の回転速度で回転駆動する旨の記載がなされていない点。
  　
相違点（ロ）
　本願発明が、「読み取った情報を一時記憶する記憶回路を介して」外部装置に所定の転送レートにより出力するのに対し、引用例１発明ではこのような記載はなされていない点。
  　
相違点（ハ）
　本願発明は、「変位量に基づき、前記光ディスクの回転中における振動量を算出する算出手段」を有し、該「算出された振動量」に基づき最大許容振動量との比較を行っているのに対し、引用例１発明では「トラッキングエラー信号とフォーカシングエラー信号のいずれかの取り込み値」を振動を表す値として「所定値」との比較を行っている点。
  　
４．当審の判断
　そこで、上記各相違点について検討する。
　
相違点（イ）について：
　光ディスクを情報記録媒体とする情報読み取り装置において、回転数を、通常より速い倍速回転駆動とするものは、上記２．（２）で摘記した引用例２のほか、特開平８−１８０５９９号公報（【０００５】段落、第１図等）、特開平８−２０２４９９号公報（【００６１】段落等）にて開示されるように、本願出願前周知のものであり、引用例１発明のディスクの回転をＮ倍速回転駆動するように構成することは、当業者が所望によりなし得たことである。
　
相違点（ロ）について：
　光ディスクを情報記録媒体とする情報読み取り装置においては、通常の回転速度とは異なる速度で読み取った情報を一時記憶する記憶回路を設けることは、例えば特開平８−１８０５９９号公報（【０００５】、【０００８】段落、第１図等）、特開平８−２０２４９９号公報（【００６１】段落等）にて開示されるように、本願出願前きわめて周知のことであり、引用例１発明においてもこのような構成を設けることは、当業者が適宜なし得たことである。
　
相違点（ハ）について：
　引用例３には、偏心量の大きなディスクや面振れ量の大きなディスクの再生を行うための最大の回転数を選択するため、トラッキングの誤差信号を用いて偏心に関する情報を検出し、その結果を平均化し、最大の回転数を選択することや、偏心検出手段の信号より必要とされるトラッキング駆動素子の加速度、要するにそのディスクの最大加速度（ディスクの偏芯や、面振れ量が、加速度によって定義されることは引用例２(「２．（２）(v)」参照)、引用例４（「２．（４）(ix)(x)」参照）にも記載されるよう周知のことである。）を計算し、設計値で定められた加速度性能の中に前記偏芯検出手段の出力が収まる回転数を選択することが記載されている。
　したがって、引用例１発明において、トラッキングエラーとフォーカシングエラー信号のいずれかの取り込み値を用いて何らかの演算を行って振動量を算出し、これに基づいて回転数の設定を行うことは、当業者が容易に想到し得たものである。
　そして、上記各相違点についての判断を総合しても本願発明の奏する効果は引用例１から当業者が充分に予想可能なものであって、格別のものとは言えない。
　
　したがって、本願発明は、引用例１乃至４に記載された発明及び周知事項に基づいて、当業者が容易に発明をすることができたものである。
　
　なお、請求人は、審判請求の理由において、「しかしながら本願発明は請求項１に記載のとおり、「前記変位量に基づき、前記光ディスクの回転中における振動量を算出する算出手段」、「前記読取手段が前記光ディスクから情報を読み取ることが可能な範囲における最大の許容振動量を保持する最大許容振動量保持手段」及び「算出された前記振動量が前記最大許容振動量に達したか否かを判別する判別手段」を具備し、この（付加）振動量が最大許容振動量を越えないように、光ディスクの回転数を制御することをその最大の特徴点とするものであり、当該特徴点は引用文献１〜５には開示されておらず、さらにはこれらの引用文献から容易に想到できるものではありません。」と主張している。
　しかしながら、本願の特許請求の範囲の請求項１に記載された事項によれば、
「前記光ディスクを前記回転制御手段により回転させることにより発生する前記光ディスクと前記読取手段との相対的な変位量を検出する変位量検出手段と、
　前記変位量に基づき、前記光ディスクの回転中における振動量を算出する算出手段」
と記載されるにとどまり、「変位量」がどのような値であるか記載されておらず、算出される振動量が（付加）振動量である旨の記載もない。
　したがって、上記のような請求人の主張は、特許請求の範囲の請求項１に記載された事項に基づく主張とは認められないので採用することができない。
　
５．むすび
　以上のとおり、本願の請求項１に係る発明は、引用例１乃至４に記載された発明及び周知事項に基づいて、当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。